(57)【要約】【課題】本発明は新型の取替便利な交通伝導装置を開示した。【解決手段】主架体、前記主架体と接続するラッチと前記ラッチと接続するヒントランプを含み、前記ラッチの底端面の中心に送電端ブロックが設置され、前記ラッチの底端面の右側に第一斜面が設置され、前記ラッチの右端面に右に向かうロック溝が設置され、前記主架体の頂端面の中心に前記ラッチを挿入し係合し接続するカード筐体が設置され、前記カード筐体の底端壁の中心に前記送電端ブロックと係合し接続する送電穴が設置され、本発明の全体構造が簡単で、設計が安全で合理で、ヒントランプを通電する同時にヒントランプをロックし、ヒントランプが通電し接触不良などの電力利用現象で感電事故を引き起こすことを避けて、現在の生活の感電事故を大きく減らし、ヒントランプが通電する時の安全性と安定性を保証し、ヒントランプの使用効率を高める。【選択図】図3
2019186176.tif 000002
【特許請求の範囲】
【請求項１】
新型の取替便利な交通伝導装置であって、主架体、前記主架体と接続するラッチと前記ラッチと接続するヒントランプを含み、前記ラッチの底端面の中心に送電端ブロックが設置され、前記ラッチの底端面の右側に第一斜面が設置され、前記ラッチの右端面に右に向かうロック溝が設置され、前記主架体の頂端面の中心に前記ラッチを挿入し係合し接続するカード筐体が設置され、前記カード筐体の底端壁の中心に前記送電端ブロックと係合し接続する送電穴が設置され、前記カード筐体の右側に第一滑り筐体が設置され、前記第一滑り筐体の上端に上に向かう前記主架体の外部と連結する口筐体が設置され、前記第一滑り筐体の右端壁にフルートが設置され、前記第一滑り筐体に左右にスライド可能に滑り板が設置され、前記滑り板の上端面に前記口筐体と摺動可能なように係合して接続する上に伸びるハンドルが設置され、前記滑り板の頂端面左側に前記第一斜面と当接しスライド可能なように係合する第二斜面が設置され、前記滑り板の右端に第一バネが接続され、前記第一バネが前記滑り板と離れる一端が前記フルートの右端壁に接続し、前記主架体の中に前記カード筐体の下側に転送溝が設置され、前記転送溝の右端に滑り止め装置が設置され、前記転送溝に左右にスライドできるスライダーが設置され、前記転送溝の左端壁に上下対称に上送電ブロックと下送電ブロックが設置され、前記スライダーの左端面に上下対称に前記上送電ブロックと前記下送電ブロックと係合し接続し通電する上送電筐体と下送電筐体が設置され、前記上送電ブロックが前記送電穴と電気的に接続し、前記下送電ブロックが商用電源と接続し、前記上送電筐体が前記下送電筐体と互いに電気的に接続し、前記主架体の左側端面に管制装置が設置され、前記滑り止め装置は前記転送溝と前記主架体の外部と連結する口筐体及び口筐体に設置されるスライダーを含み、前記口筐体の左端に固結板が固定的に設置され、前記スライダーの左端が前記固結板を貫いて前記固結板と左右に摺動可能なように係合して接続し、前記スライダーの左端が前記スライダーと固定的に接続し、前記スライダーの左端に寄って凸環が設置され、前記スライダーに前記固結板と前記凸環の間に第二バネが周設され、前記スライダーの下端に前記スライダーと蝶番関節に接続するロックレバーが設置され、前記架体の下端面に前記口筐体と連結する環状ロック溝が設置され、前記ロックレバーのロック部分が回転可能なように前記環状ロック溝に挿入し、前記第一斜面と前記第二斜面の傾斜角度が同一であり、前記ロック溝が前記第一滑り筐体のノッチ面積が同一であり、前記管制装置は前記主架体の左側端面に固定的に取り付けられる発光ダイオードを含み、前記発光ダイオードが前記送電穴と電気的に接続することを特徴とする新型の取替便利な交通伝導装置。
【発明の詳細な説明】
【技術分野】
【０００１】
本発明は市政交通設備分野に関し、具体的には新型の取替便利な交通伝導装置に関する。
【背景技術】
【０００２】
現在では道路交通に信号灯がどこにでもある。今の信号灯はボルトを通じて取付架に固定的に取り付けられ、その取り外しと取り付けのステップが複雑で、スタッフの日常管理に不便で、取り付ける時に回路と接続する必要があり、潜在的な安全上の問題が存在する。
【先行技術文献】
【特許文献】
【０００３】
【特許文献１】中国特許出願公開第103440831号明細書
【発明の概要】
【発明が解決しようとする課題】
【０００４】
本発明は解決する必要な技術問題に対して新型の取替便利な交通伝導装置を提供し、それは上記の現在の技術問題を解決できる。
【課題を解決するための手段】
【０００５】
上記の問題を解決するため、本発明は以下の技術方案を採用する。本発明の新型の取替便利な交通伝導装置は主架体、前記主架体と接続するラッチと前記ラッチと接続するヒントランプを含み、前記ラッチの底端面の中心に送電端ブロックが設置され、前記ラッチの底端面の右側に第一斜面が設置され、前記ラッチの右端面に右に向かうロック溝が設置され、前記主架体の頂端面の中心に前記ラッチを挿入し係合し接続するカード筐体が設置され、前記カード筐体の底端壁の中心に前記送電端ブロックと係合し接続する送電穴が設置され、前記カード筐体の右側に第一滑り筐体が設置され、前記第一滑り筐体の上端に上に向かう前記主架体の外部と連結する口筐体が設置され、前記第一滑り筐体の右端壁にフルートが設置され、前記第一滑り筐体に左右にスライド可能に滑り板が設置され、前記滑り板の上端面に前記口筐体と摺動可能なように係合して接続する上に伸びるハンドルが設置され、前記滑り板の頂端面左側に前記第一斜面と当接しスライド可能なように係合する第二斜面が設置され、前記滑り板の右端に第一バネが接続され、前記第一バネが前記滑り板と離れる一端が前記フルートの右端壁に接続し、前記主架体の中に前記カード筐体の下側に転送溝が設置され、前記転送溝の右端に滑り止め装置が設置され、前記転送溝に左右にスライドできるスライダーが設置され、前記転送溝の左端壁に上下対称に上送電ブロックと下送電ブロックが設置され、前記スライダーの左端面に上下対称に前記上送電ブロックと前記下送電ブロックと係合し接続し通電する上送電筐体と下送電筐体が設置され、前記上送電ブロックが前記送電穴と電気的に接続し、前記下送電ブロックが商用電源と接続し、前記上送電筐体が前記下送電筐体と互いに電気的に接続し、前記主架体の左側端面に管制装置が設置される。
【０００６】
好ましい技術方案として前記滑り止め装置は前記転送溝と前記主架体の外部と連結する口筐体及び口筐体に設置されるスライダーを含み、前記口筐体の左端に固結板が固定的に設置され、前記スライダーの左端が前記固結板を貫いて前記固結板と左右に摺動可能なように係合して接続し、前記スライダーの左端が前記スライダーと固定的に接続し、前記スライダーの左端に寄って凸環が設置され、前記スライダーに前記固結板と前記凸環の間に第二バネが周設され、前記スライダーの下端に前記スライダーと蝶番関節に接続するロックレバーが設置され、前記架体の下端面に前記口筐体と連結する環状ロック溝が設置され、前記ロックレバーのロック部分が回転可能なように前記環状ロック溝に挿入する。
【０００７】
好ましい技術方案として前記第一斜面と前記第二斜面の傾斜角度が同一であり、前記ロック溝が前記第一滑り筐体のノッチ面積が同じである。
【０００８】
好ましい技術方案として前記管制装置は前記主架体の左側端面に固定的に取り付けられる発光ダイオードを含み、前記発光ダイオードが前記送電穴と電気的に接続する。
【０００９】
本発明の有益な効果は、下記の通りである。1. 前記ラッチと前記カード筐体と正確に合わせて、徐々に前記カード筐体に挿入し、前記ラッチが前記カード筐体に挿入し前記第一斜面と前記第二斜面に当接しスライド可能に係合させ、これにより前記ラッチを通じて前記滑り板を右水平に押して、この同時に前記ラッチが前記カード筐体が係合し接続する状態にあり、前記送電端ブロックが前記送電穴が係合し接続する状態にあり、前記ロック溝と前記第一滑り筐体が相対状態にあり、前記第一バネの圧巻作用のもとで、前記滑り板が前記ロック溝に挿入し係合し接続し前記ラッチを前記カード筐体にロックし、これによりラッチが主架体の接続安定性を確保し、その後に前記スライダーが前記スライダーを左にスライドさせ、前記スライダーの押動作用のもとで前記スライダーが前記転送溝の一番左端に位置し、前記上送電ブロックと前記下送電ブロックがそれぞれ前記上送電筐体と前記下送電筐体と係合し接続し通電し、これにより前記送電穴を通電し、前記送電端ブロックを通電し、これにより前記ヒントランプに電力供給し、同時に前記ロックレバーが回転可能なように前記環状ロック溝に挿入し前記スライダーの位置をロックし、これにより前記ヒントランプの通電の安定性を保証し、ヒントランプを解体とメンテナンスすることが便利である。
【００１０】
2. 前記ヒントランプの安定性を保証し、ヒントランプを通電し使用する必要がない時に、前記ロックレバーを下に回転可能なようにし、前記第二バネの圧巻作用のもとで前記ロックレバーが右に押動され、前記ロックレバーが右に押動し前記スライダーと連動して右にスライドし、これにより前記上送電ブロックと前記下送電ブロックがそれぞれ前記上送電筐体と前記下送電筐体と離脱し係合し接続し、これにより前記送電穴を通電し、これにより前記ヒントランプを通電し、その後に前記ハンドルを右に押動し、これにより前記滑り板が前記ロック溝との係合接続から離脱し、前記ラッチのロックを解除し、その後に前記カード筐体の中から前記ラッチを引き抜いたら前記ラッチが前記カード筐体との係合接続から離脱し、その後に前記ハンドルを緩めて、前記第一バネの圧巻作用のもとで、前記滑り板が左に押動され初期位置状態に戻って、これにより次にヒントランプを通電することが便利で、これによりヒントランプの通電安全性を高める。
【００１１】
3. 本発明の全体構造が簡単で、設計が安全で合理で、ヒントランプを通電する同時にヒントランプをロックし、ヒントランプが通電し接触不良などの電力利用現象で感電事故を引き起こすことを避けて、現在の生活の感電事故を大きく減らし、ヒントランプが通電する時の安全性と安定性を保証し、ヒントランプの使用効率を高める。
【発明の効果】
【００１２】
本発明の有益な効果は、下記の通りである。1. ラッチとカード筐体と正確に合わせて、徐々にカード筐体に挿入し、ラッチがカード筐体に挿入し第一斜面と第二斜面に当接しスライド可能に係合させ、これによりラッチを通じて滑り板を右水平に押して、この同時にラッチがカード筐体が係合し接続する状態にあり、送電端ブロックが送電穴が係合し接続する状態にあり、ロック溝と第一滑り筐体が相対状態にあり、第一バネの圧巻作用のもとで、滑り板がロック溝に挿入し係合し接続しラッチをカード筐体にロックし、これによりラッチが主架体の接続安定性を確保し、その後にスライダーがスライドを左にスライドさせ、スライダーの押動作用のもとでスライドが転送溝の一番左端に位置し、上送電ブロックと下送電ブロックがそれぞれ上送電筐体と下送電筐体と係合し接続し通電し、これにより送電穴を通電し、送電端ブロックを通電し、これによりヒントランプに電力供給し、同時にロックレバーが回転可能なように環状ロック溝に挿入しスライダーの位置をロックし、これによりヒントランプの通電の安定性を保証し、ヒントランプを解体とメンテナンスすることが便利である。
【００１３】
2. ヒントランプの安定性を保証し、ヒントランプを通電し使用する必要がない時に、ロックレバーを下に回転可能なようにし、第二バネの圧巻作用のもとでロックレバーが右に押動され、ロックレバーが右に押動しスライドと連動して右にスライドし、これにより上送電ブロックと下送電ブロックがそれぞれ上送電筐体と下送電筐体と離脱し係合し接続し、これにより送電穴を通電し、これによりヒントランプを通電し、その後にハンドルを右に押動し、これにより滑り板がロック溝との係合接続から離脱し、ラッチのロックを解除し、その後にカード筐体の中からラッチを引き抜いたらラッチがカード筐体との係合接続から離脱し、その後にハンドルを緩めて、第一バネの圧巻作用のもとで、滑り板が左に押動され初期位置状態に戻って、これにより次にヒントランプを通電することが便利で、これによりヒントランプの通電安全性を高める。
【００１４】
3. 本発明の全体構造が簡単で、設計が安全で合理で、ヒントランプを通電する同時にヒントランプをロックし、ヒントランプが通電し接触不良などの電力利用現象で感電事故を引き起こすことを避けて、現在の生活の感電事故を大きく減らし、ヒントランプが通電する時の安全性と安定性を保証し、ヒントランプの使用効率を高める。
【図面の簡単な説明】
【００１５】
本発明の実施例また既存の技術の中の技術方案をもっとはっきりと説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１６】
【図１】図１は本発明の新型の取替便利な交通伝導装置の全体構造概略図である。
【図２】図２は図１の中のヒントランプが通電とロック状態にある時の構造概略図である。
【図３】図３は本発明のヒントランプの構造概略図である。
【発明を実施するための形態】
【００１７】
下記に図面を交え本発明の好ましい実施例を詳しく説明し、本発明の長所と特徴を本分野の技術者にもっとわかりやすく理解させ、これにより本発明の保護範囲にもっと明確な画定を行う。
【００１８】
図1〜3が示すように、新型の取替便利な交通伝導装置は主架体3、前記主架体3と接続するラッチ2と前記ラッチ2と接続するヒントランプ1を含み、前記ラッチ2の底端面の中心に送電端ブロック4が設置され、前記ラッチ2の底端面の右側に第一斜面5が設置され、前記ラッチ2の右端面に右に向かうロック溝6が設置され、前記主架体3の頂端面の中心に前記ラッチ2を挿入し係合し接続するカード筐体13が設置され、前記カード筐体13の底端壁の中心に前記送電端ブロック4と係合し接続する送電穴14が設置され、前記カード筐体13の右側に第一滑り筐体9が設置され、前記第一滑り筐体9の上端に上に向かう前記主架体3の外部と連結する口筐体15が設置され、前記第一滑り筐体9の右端壁にフルート12が設置され、前記第一滑り筐体9に左右にスライド可能に滑り板8が設置され、前記滑り板8の上端面に前記口筐体15と摺動可能なように係合して接続する上に伸びるハンドル10が設置され、前記滑り板8の頂端面左側に前記第一斜面5と当接しスライド可能なように係合する第二斜面7が設置され、前記滑り板8の右端に第一バネ11が接続され、前記第一バネ11が前記滑り板8と離れる一端が前記フルート12の右端壁に接続し、前記主架体3の中に前記カード筐体13の下側に転送溝19が設置され、前記転送溝19の右端に滑り止め装置16が設置され、前記転送溝19に左右にスライドできるスライド22が設置され、前記転送溝19の左端壁に上下対称に上送電ブロック20と下送電ブロック21が設置され、前記スライダー22の左端面に上下対称に前記上送電ブロック20と前記下送電ブロック21と係合し接続し通電する上送電筐体24と下送電筐体23が設置され、前記上送電ブロック20が前記送電穴14と電気的に接続し、前記下送電ブロック21が商用電源と接続し、前記上送電筐体24が前記下送電筐体23と互いに電気的に接続し、前記主架体3の左側端面に管制装置が設置される。
【００１９】
好ましくは、前記滑り止め装置16は前記転送溝19と前記主架体3の外部と連結する口筐体28及び口筐体28に設置されるスライダー27を含み、前記口筐体28の左端に固結板29が固定的に設置され、前記スライダー27の左端が前記固結板29を貫いて前記固結板29と左右に摺動可能なように係合して接続し、前記スライダー27の左端が前記スライダー22と固定的に接続し、前記スライダー27の左端に寄って凸環26が設置され、前記スライダー27に前記固結板29と前記凸環26の間に第二バネ25が周設され、前記スライダー27の下端に前記スライダー27と蝶番関節に接続するロックレバー17が設置され、前記主架体3の下端面に前記口筐体28と連結する環状ロック溝18が設置され、前記ロックレバー17のロック部分が回転可能なように前記環状ロック溝18に挿入し、これにより通電接触の安定性と停電開錠の高速性を保証する。
【００２０】
好ましくは、前記第一斜面5と前記第二斜面7の傾斜角度が同一であり、前記ロック溝6が前記第一滑り筐体9のノッチ面積が同一であり、これにより前記滑り板8が前記ロック溝6に挿入し係合し接続する。
【００２１】
好ましくは、前記管制装置は前記主架体3の左側端面に固定的に取り付けられる発光ダイオード30を含み、前記発光ダイオード30が前記送電穴14と電気的に接続し、前記発光ダイオード30が明るくなる時、本装置は既に通電使用状態にあることを示す。
【００２２】
本装置を使用する時、前記ラッチ2と前記カード筐体13と正確に合わせて、徐々に前記カード筐体13に挿入し、前記ラッチ2が前記カード筐体13に挿入し前記第一斜面5と前記第二斜面7に当接しスライド可能に係合させ、これにより前記ラッチ2を通じて前記滑り板8を右水平に押して、この同時に前記ラッチ2が前記カード筐体13が係合し接続する状態にあり、前記送電端ブロック4が前記送電穴14が係合し接続する状態にあり、前記ロック溝6と前記第一滑り筐体9が相対状態にあり、前記第一バネ11の圧巻作用のもとで、前記滑り板8が前記ロック溝6に挿入し係合し接続し前記ラッチ2を前記カード筐体13にロックし、これによりラッチ2が主架体3の接続安定性を確保し、その後に前記スライダー27が前記スライダー22を左にスライドさせ、前記スライダー27の押動作用のもとで前記スライダー22が前記転送溝19の一番左端に位置し、前記上送電ブロック20と前記下送電ブロック21がそれぞれ前記上送電筐体24と前記下送電筐体23と係合し接続し通電し、これにより前記送電穴14を通電し、前記送電端ブロック4を通電し、これにより前記ヒントランプ1に電力供給し、同時に前記ロックレバー17が回転可能なように前記環状ロック溝18に挿入し前記スライダー27の位置をロックし、これにより前記ヒントランプ1の通電の安定性を保証し、前記ヒントランプ1の安定性を保証し、ヒントランプ1を通電し使用する必要がない時に、前記ロックレバー17を下に回転可能なようにし、前記第二バネ25の圧巻作用のもとで前記ロックレバー17が右に押動され、前記ロックレバー17が右に押動し前記スライダー22と連動して右にスライドし、これにより前記上送電ブロック20と前記下送電ブロック21がそれぞれ前記上送電筐体24と前記下送電筐体23と離脱し係合し接続し、これにより前記送電穴14を通電し、これにより前記ヒントランプ1を通電し、その後に前記ハンドル10を右に押動し、これにより前記滑り板8が前記ロック溝6との係合接続から離脱し、前記ラッチ2のロックを解除し、その後に前記カード筐体13の中から前記ラッチ2を引き抜いたら前記ラッチ2が前記カード筐体13との係合接続から離脱し、その後に前記ハンドル10を緩めて、前記第一バネ11の圧巻作用のもとで、前記滑り板8が左に押動され初期位置状態に戻って、これにより次にヒントランプ1を通電することが便利である。
【００２３】
本発明の有益な効果は、下記の通りである。1. ラッチとカード筐体と正確に合わせて、徐々にカード筐体に挿入し、ラッチがカード筐体に挿入し第一斜面と第二斜面に当接しスライド可能に係合させ、これによりラッチを通じて滑り板を右水平に押して、この同時にラッチがカード筐体が係合し接続する状態にあり、送電端ブロックが送電穴が係合し接続する状態にあり、ロック溝と第一滑り筐体が相対状態にあり、第一バネの圧巻作用のもとで、滑り板がロック溝に挿入し係合し接続しラッチをカード筐体にロックし、これによりラッチが主架体の接続安定性を確保し、その後にスライダーがスライドを左にスライドさせ、スライダーの押動作用のもとでスライドが転送溝の一番左端に位置し、上送電ブロックと下送電ブロックがそれぞれ上送電筐体と下送電筐体と係合し接続し通電し、これにより送電穴を通電し、送電端ブロックを通電し、これによりヒントランプに電力供給し、同時にロックレバーが回転可能なように環状ロック溝に挿入しスライダーの位置をロックし、これによりヒントランプの通電の安定性を保証し、ヒントランプを解体とメンテナンスすることが便利である。
【００２４】
2. ヒントランプの安定性を保証し、ヒントランプを通電し使用する必要がない時に、ロックレバーを下に回転可能なようにし、第二バネの圧巻作用のもとでロックレバーが右に押動され、ロックレバーが右に押動しスライドと連動して右にスライドし、これにより上送電ブロックと下送電ブロックがそれぞれ上送電筐体と下送電筐体と離脱し係合し接続し、これにより送電穴を通電し、これによりヒントランプを通電し、その後にハンドルを右に押動し、これにより滑り板がロック溝との係合接続から離脱し、ラッチのロックを解除し、その後にカード筐体の中からラッチを引き抜いたらラッチがカード筐体との係合接続から離脱し、その後にハンドルを緩めて、第一バネの圧巻作用のもとで、滑り板が左に押動され初期位置状態に戻って、これにより次にヒントランプを通電することが便利で、これによりヒントランプの通電安全性を高める。
【００２５】
3. 本発明の全体構造が簡単で、設計が安全で合理で、ヒントランプを通電する同時にヒントランプをロックし、ヒントランプが通電し接触不良などの電力利用現象で感電事故を引き起こすことを避けて、現在の生活の感電事故を大きく減らし、ヒントランプが通電する時の安全性と安定性を保証し、ヒントランプの使用効率を高める。
【００２６】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。
【図１】
2019186176.tif 000003
【図２】
2019186176.tif 000004
【図３】
2019186176.tif 000005
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
新型の取替便利な交通伝導装置であって、主架体、前記主架体と接続するラッチと前記ラッチと接続するヒントランプを含み、前記ラッチの底端面の中心に送電端ブロックが設置され、前記ラッチの底端面の右側に第一斜面が設置され、前記ラッチの右端面に右に向かうロック溝が設置され、前記主架体の頂端面の中心に前記ラッチを挿入し係合し接続するカード筐体が設置され、前記カード筐体の底端壁の中心に前記送電端ブロックと係合し接続する送電穴が設置され、前記カード筐体の右側に第一滑り筐体が設置され、前記第一滑り筐体の上端に上に向かう前記主架体の外部と連結する口筐体が設置され、前記第一滑り筐体の右端壁にフルートが設置され、前記第一滑り筐体に左右にスライド可能に滑り板が設置され、前記滑り板の上端面に前記口筐体と摺動可能なように係合して接続する上に伸びるハンドルが設置され、前記滑り板の頂端面左側に前記第一斜面と当接しスライド可能なように係合する第二斜面が設置され、前記滑り板の右端に第一バネが接続され、前記第一バネが前記滑り板と離れる一端が前記フルートの右端壁に接続し、前記主架体の中に前記カード筐体の下側に転送溝が設置され、前記転送溝の右端に滑り止め装置が設置され、前記転送溝に左右にスライドできる滑り台が設置され、前記転送溝の左端壁に上下対称に上送電ブロックと下送電ブロックが設置され、前記滑り台の左端面に上下対称に前記上送電ブロックと前記下送電ブロックと係合し接続し通電する上送電筐体と下送電筐体が設置され、前記上送電ブロックが前記送電穴と電気的に接続し、前記下送電ブロックが商用電源と接続し、前記上送電筐体が前記下送電筐体と互いに電気的に接続し、前記主架体の左側端面に管制装置が設置され、前記滑り止め装置は前記転送溝と前記主架体の外部と連結する口筐体及び口筐体に設置されるスライダーを含み、前記口筐体の左端に固結板が固定的に設置され、前記スライダーの左端が前記固結板を貫いて前記固結板と左右に摺動可能なように係合して接続し、前記スライダーの左端が前記滑り台と固定的に接続し、前記スライダーの左端に寄って凸環が設置され、前記スライダーに前記固結板と前記凸環の間に第二バネが周設され、前記スライダーの下端に前記スライダーと蝶番関節に接続するロックレバーが設置され、前記架体の下端面に前記口筐体と連結する環状ロック溝が設置され、前記ロックレバーのロック部分が回転可能なように前記環状ロック溝に挿入し、前記第一斜面と前記第二斜面の傾斜角度が同一であり、前記管制装置は前記主架体の左側端面に固定的に取り付けられる発光ダイオードを含み、前記発光ダイオードが前記送電穴と電気的に接続することを特徴とする新型の取替便利な交通伝導装置。
【手続補正２】
【補正対象書類名】明細書
【補正対象項目名】全文
【補正方法】変更
【補正の内容】
【発明の詳細な説明】
【技術分野】
【０００１】
本発明は市政交通設備分野に関し、具体的には新型の取替便利な交通伝導装置に関する。
【背景技術】
【０００２】
現在では道路交通に信号灯がどこにでもある。今の信号灯はボルトを通じて取付架に固定的に取り付けられ、その取り外しと取り付けのステップが複雑で、スタッフの日常管理に不便で、取り付ける時に回路と接続する必要があり、潜在的な安全上の問題が存在する。
【先行技術文献】
【特許文献】
【０００３】
【特許文献１】中国特許出願公開第１０３４４０８３１号明細書
【発明の概要】
【発明が解決しようとする課題】
【０００４】
本発明は解決する必要な技術問題に対して新型の取替便利な交通伝導装置を提供し、それは上記の現在の技術問題を解決できる。
【課題を解決するための手段】
【０００５】
上記の問題を解決するため、本発明は以下の技術方案を採用する。本発明の新型の取替便利な交通伝導装置は主架体、前記主架体と接続するラッチと前記ラッチと接続するヒントランプを含み、前記ラッチの底端面の中心に送電端ブロックが設置され、前記ラッチの底端面の右側に第一斜面が設置され、前記ラッチの右端面に右に向かうロック溝が設置され、前記主架体の頂端面の中心に前記ラッチを挿入し係合し接続するカード筐体が設置され、前記カード筐体の底端壁の中心に前記送電端ブロックと係合し接続する送電穴が設置され、前記カード筐体の右側に第一滑り筐体が設置され、前記第一滑り筐体の上端に上に向かう前記主架体の外部と連結する口筐体が設置され、前記第一滑り筐体の右端壁にフルートが設置され、前記第一滑り筐体に左右にスライド可能に滑り板が設置され、前記滑り板の上端面に前記口筐体と摺動可能なように係合して接続する上に伸びるハンドルが設置され、前記滑り板の頂端面左側に前記第一斜面と当接しスライド可能なように係合する第二斜面が設置され、前記滑り板の右端に第一バネが接続され、前記第一バネが前記滑り板と離れる一端が前記フルートの右端壁に接続し、前記主架体の中に前記カード筐体の下側に転送溝が設置され、前記転送溝の右端に滑り止め装置が設置され、前記転送溝に左右にスライドできる滑り台が設置され、前記転送溝の左端壁に上下対称に上送電ブロックと下送電ブロックが設置され、前記滑り台の左端面に上下対称に前記上送電ブロックと前記下送電ブロックと係合し接続し通電する上送電筐体と下送電筐体が設置され、前記上送電ブロックが前記送電穴と電気的に接続し、前記下送電ブロックが商用電源と接続し、前記上送電筐体が前記下送電筐体と互いに電気的に接続し、前記主架体の左側端面に管制装置が設置される。
【０００６】
好ましい技術方案として前記滑り止め装置は前記転送溝と前記主架体の外部と連結する口筐体及び口筐体に設置されるスライダーを含み、前記口筐体の左端に固結板が固定的に設置され、前記スライダーの左端が前記固結板を貫いて前記固結板と左右に摺動可能なように係合して接続し、前記スライダーの左端が前記滑り台と固定的に接続し、前記スライダーの左端に寄って凸環が設置され、前記スライダーに前記固結板と前記凸環の間に第二バネが周設され、前記スライダーの下端に前記スライダーと蝶番関節に接続するロックレバーが設置され、前記架体の下端面に前記口筐体と連結する環状ロック溝が設置され、前記ロックレバーのロック部分が回転可能なように前記環状ロック溝に挿入する。
【０００７】
好ましい技術方案として前記第一斜面と前記第二斜面の傾斜角度が同一である。
【０００８】
好ましい技術方案として前記管制装置は前記主架体の左側端面に固定的に取り付けられる発光ダイオードを含み、前記発光ダイオードが前記送電穴と電気的に接続する。
【０００９】
本発明の有益な効果は、下記の通りである。１．前記ラッチと前記カード筐体と正確に合わせて、徐々に前記カード筐体に挿入し、前記ラッチが前記カード筐体に挿入し前記第一斜面と前記第二斜面に当接しスライド可能に係合させ、これにより前記ラッチを通じて前記滑り板を右水平に押して、この同時に前記ラッチが前記カード筐体が係合し接続する状態にあり、前記送電端ブロックが前記送電穴が係合し接続する状態にあり、前記ロック溝と前記第一滑り筐体が相対状態にあり、前記第一バネの圧巻作用のもとで、前記滑り板が前記ロック溝に挿入し係合し接続し前記ラッチを前記カード筐体にロックし、これによりラッチが主架体の接続安定性を確保し、その後に前記スライダーが前記滑り台を左にスライドさせ、前記スライダーの押動作用のもとで前記滑り台が前記転送溝の一番左端に位置し、前記上送電ブロックと前記下送電ブロックがそれぞれ前記上送電筐体と前記下送電筐体と係合し接続し通電し、これにより前記送電穴を通電し、前記送電端ブロックを通電し、これにより前記ヒントランプに電力供給し、同時に前記ロックレバーが回転可能なように前記環状ロック溝に挿入し前記スライダーの位置をロックし、これにより前記ヒントランプの通電の安定性を保証し、ヒントランプを解体とメンテナンスすることが便利である。
【００１０】
２．前記ヒントランプの安定性を保証し、ヒントランプを通電し使用する必要がない時に、前記ロックレバーを下に回転可能なようにし、前記第二バネの圧巻作用のもとで前記ロックレバーが右に押動され、前記ロックレバーが右に押動し前記滑り台と連動して右にスライドし、これにより前記上送電ブロックと前記下送電ブロックがそれぞれ前記上送電筐体と前記下送電筐体と離脱し係合し接続し、これにより前記送電穴を通電し、これにより前記ヒントランプを通電し、その後に前記ハンドルを右に押動し、これにより前記滑り板が前記ロック溝との係合接続から離脱し、前記ラッチのロックを解除し、その後に前記カード筐体の中から前記ラッチを引き抜いたら前記ラッチが前記カード筐体との係合接続から離脱し、その後に前記ハンドルを緩めて、前記第一バネの圧巻作用のもとで、前記滑り板が左に押動され初期位置状態に戻って、これにより次にヒントランプを通電することが便利で、これによりヒントランプの通電安全性を高める。
【００１１】
３．本発明の全体構造が簡単で、設計が安全で合理で、ヒントランプを通電する同時にヒントランプをロックし、ヒントランプが通電し接触不良などの電力利用現象で感電事故を引き起こすことを避けて、現在の生活の感電事故を大きく減らし、ヒントランプが通電する時の安全性と安定性を保証し、ヒントランプの使用効率を高める。
【発明の効果】
【００１２】
本発明の有益な効果は、下記の通りである。１．ラッチとカード筐体と正確に合わせて、徐々にカード筐体に挿入し、ラッチがカード筐体に挿入し第一斜面と第二斜面に当接しスライド可能に係合させ、これによりラッチを通じて滑り板を右水平に押して、この同時にラッチがカード筐体が係合し接続する状態にあり、送電端ブロックが送電穴が係合し接続する状態にあり、ロック溝と第一滑り筐体が相対状態にあり、第一バネの圧巻作用のもとで、滑り板がロック溝に挿入し係合し接続しラッチをカード筐体にロックし、これによりラッチが主架体の接続安定性を確保し、その後にスライダーが滑り台を左にスライドさせ、スライダーの押動作用のもとでスライドが転送溝の一番左端に位置し、上送電ブロックと下送電ブロックがそれぞれ上送電筐体と下送電筐体と係合し接続し通電し、これにより送電穴を通電し、送電端ブロックを通電し、これによりヒントランプに電力供給し、同時にロックレバーが回転可能なように環状ロック溝に挿入しスライダーの位置をロックし、これによりヒントランプの通電の安定性を保証し、ヒントランプを解体とメンテナンスすることが便利である。
【００１３】
２．ヒントランプの安定性を保証し、ヒントランプを通電し使用する必要がない時に、ロックレバーを下に回転可能なようにし、第二バネの圧巻作用のもとでロックレバーが右に押動され、ロックレバーが右に押動しスライドと連動して右にスライドし、これにより上送電ブロックと下送電ブロックがそれぞれ上送電筐体と下送電筐体と離脱し係合し接続し、これにより送電穴を通電し、これによりヒントランプを通電し、その後にハンドルを右に押動し、これにより滑り板がロック溝との係合接続から離脱し、ラッチのロックを解除し、その後にカード筐体の中からラッチを引き抜いたらラッチがカード筐体との係合接続から離脱し、その後にハンドルを緩めて、第一バネの圧巻作用のもとで、滑り板が左に押動され初期位置状態に戻って、これにより次にヒントランプを通電することが便利で、これによりヒントランプの通電安全性を高める。
【００１４】
３．本発明の全体構造が簡単で、設計が安全で合理で、ヒントランプを通電する同時にヒントランプをロックし、ヒントランプが通電し接触不良などの電力利用現象で感電事故を引き起こすことを避けて、現在の生活の感電事故を大きく減らし、ヒントランプが通電する時の安全性と安定性を保証し、ヒントランプの使用効率を高める。
【図面の簡単な説明】
【００１５】
本発明の実施例また既存の技術の中の技術方案をもっとはっきりと説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１６】
【図１】図１は本発明の新型の取替便利な交通伝導装置の全体構造概略図である。
【図２】図２は図１の中のヒントランプが通電とロック状態にある時の構造概略図である。
【図３】図３は本発明のヒントランプの構造概略図である。
【発明を実施するための形態】
【００１７】
下記に図面を交え本発明の好ましい実施例を詳しく説明し、本発明の長所と特徴を本分野の技術者にもっとわかりやすく理解させ、これにより本発明の保護範囲にもっと明確な画定を行う。
【００１８】
図１〜３が示すように、新型の取替便利な交通伝導装置は主架体３、前記主架体３と接続するラッチ２と前記ラッチ２と接続するヒントランプ１を含み、前記ラッチ２の底端面の中心に送電端ブロック４が設置され、前記ラッチ２の底端面の右側に第一斜面５が設置され、前記ラッチ２の右端面に右に向かうロック溝６が設置され、前記主架体３の頂端面の中心に前記ラッチ２を挿入し係合し接続するカード筐体１３が設置され、前記カード筐体１３の底端壁の中心に前記送電端ブロック４と係合し接続する送電穴１４が設置され、前記カード筐体１３の右側に第一滑り筐体９が設置され、前記第一滑り筐体９の上端に上に向かう前記主架体３の外部と連結する口筐体１５が設置され、前記第一滑り筐体９の右端壁にフルート１２が設置され、前記第一滑り筐体９に左右にスライド可能に滑り板８が設置され、前記滑り板８の上端面に前記口筐体１５と摺動可能なように係合して接続する上に伸びるハンドル１０が設置され、前記滑り板８の頂端面左側に前記第一斜面５と当接しスライド可能なように係合する第二斜面７が設置され、前記滑り板８の右端に第一バネ１１が接続され、前記第一バネ１１が前記滑り板８と離れる一端が前記フルート１２の右端壁に接続し、前記主架体３の中に前記カード筐体１３の下側に転送溝１９が設置され、前記転送溝１９の右端に滑り止め装置１６が設置され、前記転送溝１９に左右にスライドできる滑り台２２が設置され、前記転送溝１９の左端壁に上下対称に上送電ブロック２０と下送電ブロック２１が設置され、前記滑り台２２の左端面に上下対称に前記上送電ブロック２０と前記下送電ブロック２１と係合し接続し通電する上送電筐体２４と下送電筐体２３が設置され、前記上送電ブロック２０が前記送電穴１４と電気的に接続し、前記下送電ブロック２１が商用電源と接続し、前記上送電筐体２４が前記下送電筐体２３と互いに電気的に接続し、前記主架体３の左側端面に管制装置が設置される。
【００１９】
好ましくは、前記滑り止め装置１６は前記転送溝１９と前記主架体３の外部と連結する口筐体２８及び口筐体２８に設置されるスライダー２７を含み、前記口筐体２８の左端に固結板２９が固定的に設置され、前記スライダー２７の左端が前記固結板２９を貫いて前記固結板２９と左右に摺動可能なように係合して接続し、前記スライダー２７の左端が前記滑り台２２と固定的に接続し、前記スライダー２７の左端に寄って凸環２６が設置され、前記スライダー２７に前記固結板２９と前記凸環２６の間に第二バネ２５が周設され、前記スライダー２７の下端に前記スライダー２７と蝶番関節に接続するロックレバー１７が設置され、前記主架体３の下端面に前記口筐体２８と連結する環状ロック溝１８が設置され、前記ロックレバー１７のロック部分が回転可能なように前記環状ロック溝１８に挿入し、これにより通電接触の安定性と停電開錠の高速性を保証する。
【００２０】
好ましくは、前記第一斜面５と前記第二斜面７の傾斜角度が同一であり、これにより前記滑り板８が前記ロック溝６に挿入し係合し接続する。
【００２１】
好ましくは、前記管制装置は前記主架体３の左側端面に固定的に取り付けられる発光ダイオード３０を含み、前記発光ダイオード３０が前記送電穴１４と電気的に接続し、前記発光ダイオード３０が明るくなる時、本装置は既に通電使用状態にあることを示す。
【００２２】
本装置を使用する時、前記ラッチ２と前記カード筐体１３と正確に合わせて、徐々に前記カード筐体１３に挿入し、前記ラッチ２が前記カード筐体１３に挿入し前記第一斜面５と前記第二斜面７に当接しスライド可能に係合させ、これにより前記ラッチ２を通じて前記滑り板８を右水平に押して、この同時に前記ラッチ２が前記カード筐体１３が係合し接続する状態にあり、前記送電端ブロック４が前記送電穴１４が係合し接続する状態にあり、前記ロック溝６と前記第一滑り筐体９が相対状態にあり、前記第一バネ１１の圧巻作用のもとで、前記滑り板８が前記ロック溝６に挿入し係合し接続し前記ラッチ２を前記カード筐体１３にロックし、これによりラッチ２が主架体３の接続安定性を確保し、その後に前記スライダー２７が前記滑り台２２を左にスライドさせ、前記スライダー２７の押動作用のもとで前記滑り台２２が前記転送溝１９の一番左端に位置し、前記上送電ブロック２０と前記下送電ブロック２１がそれぞれ前記上送電筐体２４と前記下送電筐体２３と係合し接続し通電し、これにより前記送電穴１４を通電し、前記送電端ブロック４を通電し、これにより前記ヒントランプ１に電力供給し、同時に前記ロックレバー１７が回転可能なように前記環状ロック溝１８に挿入し前記スライダー２７の位置をロックし、これにより前記ヒントランプ１の通電の安定性を保証し、前記ヒントランプ１の安定性を保証し、ヒントランプ１を通電し使用する必要がない時に、前記ロックレバー１７を下に回転可能なようにし、前記第二バネ２５の圧巻作用のもとで前記ロックレバー１７が右に押動され、前記ロックレバー１７が右に押動し前記滑り台２２と連動して右にスライドし、これにより前記上送電ブロック２０と前記下送電ブロック２１がそれぞれ前記上送電筐体２４と前記下送電筐体２３と離脱し係合し接続し、これにより前記送電穴１４を通電し、これにより前記ヒントランプ１を通電し、その後に前記ハンドル１０を右に押動し、これにより前記滑り板８が前記ロック溝６との係合接続から離脱し、前記ラッチ２のロックを解除し、その後に前記カード筐体１３の中から前記ラッチ２を引き抜いたら前記ラッチ２が前記カード筐体１３との係合接続から離脱し、その後に前記ハンドル１０を緩めて、前記第一バネ１１の圧巻作用のもとで、前記滑り板８が左に押動され初期位置状態に戻って、これにより次にヒントランプ１を通電することが便利である。
【００２３】
本発明の有益な効果は、下記の通りである。１．ラッチとカード筐体と正確に合わせて、徐々にカード筐体に挿入し、ラッチがカード筐体に挿入し第一斜面と第二斜面に当接しスライド可能に係合させ、これによりラッチを通じて滑り板を右水平に押して、この同時にラッチがカード筐体が係合し接続する状態にあり、送電端ブロックが送電穴が係合し接続する状態にあり、ロック溝と第一滑り筐体が相対状態にあり、第一バネの圧巻作用のもとで、滑り板がロック溝に挿入し係合し接続しラッチをカード筐体にロックし、これによりラッチが主架体の接続安定性を確保し、その後にスライダーが滑り台を左にスライドさせ、スライダーの押動作用のもとでスライドが転送溝の一番左端に位置し、上送電ブロックと下送電ブロックがそれぞれ上送電筐体と下送電筐体と係合し接続し通電し、これにより送電穴を通電し、送電端ブロックを通電し、これによりヒントランプに電力供給し、同時にロックレバーが回転可能なように環状ロック溝に挿入しスライダーの位置をロックし、これによりヒントランプの通電の安定性を保証し、ヒントランプを解体とメンテナンスすることが便利である。
【００２４】
２．ヒントランプの安定性を保証し、ヒントランプを通電し使用する必要がない時に、ロックレバーを下に回転可能なようにし、第二バネの圧巻作用のもとでロックレバーが右に押動され、ロックレバーが右に押動しスライドと連動して右にスライドし、これにより上送電ブロックと下送電ブロックがそれぞれ上送電筐体と下送電筐体と離脱し係合し接続し、これにより送電穴を通電し、これによりヒントランプを通電し、その後にハンドルを右に押動し、これにより滑り板がロック溝との係合接続から離脱し、ラッチのロックを解除し、その後にカード筐体の中からラッチを引き抜いたらラッチがカード筐体との係合接続から離脱し、その後にハンドルを緩めて、第一バネの圧巻作用のもとで、滑り板が左に押動され初期位置状態に戻って、これにより次にヒントランプを通電することが便利で、これによりヒントランプの通電安全性を高める。
【００２５】
３．本発明の全体構造が簡単で、設計が安全で合理で、ヒントランプを通電する同時にヒントランプをロックし、ヒントランプが通電し接触不良などの電力利用現象で感電事故を引き起こすことを避けて、現在の生活の感電事故を大きく減らし、ヒントランプが通電する時の安全性と安定性を保証し、ヒントランプの使用効率を高める。
【００２６】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。